(57)【特許請求の範囲】
【請求項１】
前後に配置され互いに連通する商品の収納部に、商品を載置した商品トレーと、該商品トレーに嵌め込んだ連結筒と、該連結筒に貫通し該連結筒を介して該商品トレーを前後の収納部に亘って案内する軌道軸と、該連結筒を介して該商品トレーを前方に付勢するバネ手段とを有する庫内冷却された自動販売機において、
前記連結筒を前記商品トレーの前後方向に間隔をおいて複数配置した
ことを特徴とする自動販売機。
【発明の詳細な説明】
【０００１】
【発明の属する技術分野】
本発明は、商品を載置する商品トレーを前後の収納部に摺動させ、商品を販売する自動販売機に関するものである。
【０００２】
【従来の技術】
従来、この種の自動販売機として出願人は既に特願平８ー５４９２０号に係る出願を提案している。
【０００３】
この自動販売機は、個別に区画された商品収納室を上下複数段に多数配置し、この商品収納室に収納された商品を個別に販売する構造となっている。また、この商品収納室は前後に互いに連通する２個の収納部を有しており、商品を販売するときは、まず、前側収納部の商品を販売し、この商品販売の後に空になった前側収納部に後側収納部の商品を搬送させ、この搬送された商品を次回に販売する。
【０００４】
この後側収納部の商品を前側収納部に搬送する搬送手段として、商品を載置する商品トレーと、この商品トレーに嵌め込んだ連結筒と、この連結筒に貫通し連結筒を介して商品トレーを前後の収納部に亘って案内する軌道軸と、この連結筒を介して商品トレーを前方に付勢するコイルバネとを用いており、これらの各構成部品により、前側収納部への商品搬送が行われる。
【０００５】
【発明が解決しようとする課題】
ところで、自動販売機内は冷却装置により庫内冷却が行われており、商品はもとより搬送手段も冷却されている。これにより、連結筒と軌道軸との間で庫内の湿気が氷結し、商品トレーの移動に支障をきたすおそれがある。
【０００６】
このような問題点を解決するためには、連結筒と軌道軸との接触面積を小さくすれば良いが、この連結筒の長さを短くするときは商品トレーが左右方向にブレ易く、商品トレーの移動時にガタを生ずるという問題点を有していた。
【０００７】
本発明の目的は前記従来の課題に鑑み、連結筒と軌道軸との接触面積を小さくするとともに、商品トレーのガタの発生を防止できる自動販売機を提供することにある。
【０００８】
【課題を解決するための手段】
本発明は前記課題を解決するため、前後に配置され互いに連通する商品の収納部に、商品を載置した商品トレーと、商品トレーに嵌め込んだ連結筒と、連結筒に貫通し連結筒を介して商品トレーを前後の収納部に亘って案内する軌道軸と、連結筒を介して商品トレーを前方に付勢するバネ手段とを有する庫内冷却された自動販売機において、連結筒を商品トレーの前後方向に間隔をおいて複数配置した構造となっている。
【０００９】
本発明によれば、連結筒を商品トレーの前後方向に間隔を置いて複数配置しているので、前後の連結筒により商品トレーのブレが抑制されるし、また、各連結筒の軸方向寸法を小さくできるため、軌道軸と各連結筒との接触面積を小さくできる。
【００１０】
【発明の実施の形態】
図１乃至図５は本発明に係る自動販売機の一実施形態を示すもので、図１は自動販売機の正面図、図２は自動販売機の断面図、図３は商品収納室の斜視図、図４は後側収納部に商品が収納されている状態を示す商品収納室の側面断面図、図５は後側収納部の商品が前側収納部に搬送された状態を示す側面断面図である。
【００１１】
この自動販売機は縦長の断熱箱にて構成された自動販売機本体１内に前面開口の内箱２を設け、この自動販売機本体１の前面開口を外扉３にて開閉自在としている。また、この自動販売機本体１と内箱２との間に通風ダクト４を形成しており、送風機５にて蒸発器６で冷却された空気を通風ダクト４に循環し（図２の１点鎖線矢印）、庫内冷却を行っている。また、この内箱２の前面開口には中扉７を設ける一方、内箱２の内部には上下及び左右に複数段に多数の商品収納室８を形成し、各商品収納室８と対向する中扉７の部位には商品収納室８の小扉９を設置している。また、この各商品収納室８は、互いに隣接する商品収納室８間で冷気が流通するよう縦横に多数のワイヤ８ａを組み込んで形成している。
【００１２】
なお、自動販売機の前面にはコイン投入口１０、紙幣投入口１１、返却レバー１２、返却口１３、投入金額等を表示するセグメント表示器１４等が設置される一方、小扉９には商品選択を行う選択スイッチ１５が設置されている。ここで、前側の商品Ａを購入するときは、コイン投入口１０に購入商品の金額（或いはそれ以上の金額）のコインを投入し、その後、外扉３を開放し、更に購入商品に対応する選択スイッチ１５を押す。しかる後、この選択スイッチ１５に対応する小扉９を開放し、商品Ａを取り出すようになっている。
【００１３】
このように構成された自動販売機において、前記各商品収納室８は前後に分割して２室構成となっており、この構成を図３乃至図５を参照して詳述する。
【００１４】
この商品収納室８は前後に仕切る仕切り扉機構８１を有し、この仕切り扉機構８１により前後に商品Ａを収納する収納部８２ａ，８２ｂを形成している。また、この仕切り扉機構８１は略門型の支持フレーム８１１に軸支された内扉８１２を有し、この内扉８１２を上下に回動することにより収納部８２ｂを開閉するようになっている。また、この回転軸８１２ａにはねじりコイルバネ８１２ｂが巻回され、この内扉８１２を開方向に付勢する一方、この内扉８１２の開方向への回転を規制するものとして内扉ソレノイド８１３を有している。
【００１５】
このソレノイド８１３はそのプランジャ８１３ａに先端に引っ掛け爪８１５ａを有する引っ掛け片８１５ｂと略Ｌ字状の作動片８１６が取り付けられている。この引っ掛け爪８１５ａは内扉８１２の裏面に突出した係止穴８１５ｃに対向しており、ソレノイド８１３のプランジャ８１３ａの先端が下位にあるときは、引っ掛け爪８１５ａが係止穴８１５ｃに係止して内扉８１２を閉鎖状態に維持し、逆に、上位にあるときは引っ掛け爪８１５ａが係止穴８１５ｃから外れ、内扉８１２が開放できるようになっている。
【００１６】
このように仕切り扉機構８１により２分割された商品収納室８には商品Ａを載置しかつ搬送する搬送装置８３が設けられている。この搬送装置８３は商品載置手段８３１とコイルバネ８３２とから構成されている。
【００１７】
この商品載置手段８３１は皿状の商品トレー８３１ａを有し、この商品トレー８３１ａ上に商品Ａを載置するようになっている。また、この商品トレー８３１ａの両側を商品収納室８の両側下部に配置された棒状の案内レール８３１ｂに載せる一方、この商品トレー８３１ａの幅方向中央には前後に間隔をおいて２個の連結筒８３１ｃ，８３１ｃ′を嵌め込み、更には、この連結筒８３１ｃ，８３１ｃ′を商品収納室８の前後に亘って配置された軌道軸８３１ｄに貫通させている。これにより、商品トレー８３１ａを前後の各収納部８２ａ，８２ｂに亘って摺動自在にしている。なお、案内レール８３１ｂ及び軌道軸８３１ｄは商品収納室８の前後に配置された支持板８４１，８４２に連結固定されている。
【００１８】
前記コイルバネ８３２は連結筒８３１ｃと商品収納室８の後側の支持板８４２との間に配置されたもので、その内部に軌道軸８３１ｄを貫通させ、商品トレー８３１ａを前方に付勢するようになっている。これにより、商品トレー８３１ａが後側収納部８２ｂに待機しているときは（図４）、この商品トレー８３１ａが閉鎖した内扉８１２の裏面に押圧された状態となり、他方、この内扉８１２が開放されるときは（図５）、コイルバネ８３２の付勢力により前側収納部８２ａに押し出されることとなる。
【００１９】
前側収納部８２ａの前方にはこれを開閉する小扉９が設置されている。この小扉９の詳細については省略するが、前述した内扉８１２と同様に小扉９の開方向への移動を規制する図示しないソレノイドを有している。
【００２０】
本実施形態によれば、２個の連結筒８３１ｃ，８３１ｃ′が前後方向に間隔をおいて商品トレー８３１ａに嵌め込まれているため、各連結筒８３１ｃ，８３１ｃ′間の間隔に亘って商品トレー８３１ａの左右方向へのブレが抑制され、商品トレー８３１ａを前側収納部８２ａに円滑に搬送できる。
【００２１】
また、このブレ規制機能の向上により各連結筒８３１ｃ，８３１ｃ′自体の軸方向寸法を短くでき、これに伴い、各連結筒８３１ｃ，８３１ｃ′と軌道軸８３１ｄとの接触面積が小さくなるため、両者の間に氷結が生じたとしても、商品トレー８３１ａの摺動に支障をきたすことがない。
【００２２】
なお、各種連結筒８３１ｃ，８３１ｃ′は商品トレー８３１ａの何れの箇所に配置しても良いが、商品トレー８３１ａの部位で最もブレ規制を要する部位、即ち、商品トレー８３１ａの前寄りに配置するのが最も効果的である。
【００２３】
【発明の効果】
以上説明したように、本発明によれば、連結筒を商品トレーの前後方向に間隔をおいて複数配置しているので、前後の連結筒により商品トレーのブレが抑制されるし、また、各連結筒の軸方向寸法を小さくできるため、軌道軸と各連結筒との接触面積を小さくできる。従って、両者の接触面に氷結が起きたとしてもその固着力は小さく、商品トレーの移動に支障をきたすことがない。
【図面の簡単な説明】
【図１】自動販売機の正面図
【図２】自動販売機の断面図
【図３】商品収納室の斜視図
【図４】後側収納部に商品が収納されている状態を示す側面断面図
【図５】後側収納部の商品が前側収納部に搬送された状態を示す側面断面図
【符号の説明】
８２ａ…前側収納部、８２ｂ…後側収納部、８３…搬送装置、８３１ａ…商品トレー、８３１ｃ，８３１ｃ′…連結筒、８３１ｄ…軌道軸、８３２…コイルバネ、Ａ…商品。
【図１】
0003929130.tif 000002
【図２】
0003929130.tif 000003
【図３】
0003929130.tif 000004
【図４】
0003929130.tif 000005
【図５】
0003929130.tif 000006